(57)【要約】      （修正有）【課題】簡易な構成で、感光体表面に滑剤を均一に塗布でき、感光体又はクリーニングブレードの劣化による画質の低下を防止できる滑剤塗布装置及び画像形成装置を提供する。【解決手段】滑剤塗布装置８０は、回転駆動される像担持体４１３の表面に滑剤を供給する滑剤供給部８１と、像担持体４１３の回転方向に関して滑剤供給部の下流側に配置されて像担持体４１３の表面に摺接し、像担持体４１３の滑剤塗布面を加熱しながら像担持体４１３に供給された滑剤を均す均しブレード８４を備える。【選択図】図２
2014238448.tif 000002
【特許請求の範囲】
【請求項１】
回転駆動される像担持体の表面に滑剤を供給する滑剤供給部と、
前記像担持体の回転方向に関して前記滑剤供給部の下流側に配置されて前記像担持体の表面に摺接し、前記像担持体の滑剤塗布面を加熱しながら前記像担持体に供給された滑剤を均す均しブレードと、を備えることを特徴とする滑剤塗布装置。
【請求項２】
前記均しブレードが、前記像担持体の表面に摺接する弾性層を含む積層構造を有することを特徴とする請求項１に記載の滑剤塗布装置。
【請求項３】
前記均しブレードが、前記弾性層に積層され、前記弾性層を介して前記像担持体に熱を均一に伝達する伝熱層を有することを特徴とする請求項２に記載の滑剤塗布装置。
【請求項４】
前記伝熱層が、前記弾性層よりも熱容量が大きい蓄熱層を有することを特徴とする請求項３に記載の滑剤塗布装置。
【請求項５】
前記伝熱層が、前記弾性層に接触して積層され、前記弾性層よりも熱伝導率の小さい断熱層を有することを特徴とする請求項３又は４に記載の滑剤塗布装置。
【請求項６】
前記均しブレードが、加熱源となる発熱層を有することを特徴とする請求項２から５のいずれか一項に記載の滑剤塗布装置。
【請求項７】
前記均しブレードを加熱する加熱部を備えることを特徴とする請求項２から５のいずれか一項に記載の滑剤塗布装置。
【請求項８】
前記像担持体にトナー像を形成する画像形成部と、
前記トナー像の転写後に前記像担持体上に残留するトナーをクリーニングブレードにより除去するクリーニング部と、
請求項１から７のいずれか一項に記載の滑剤塗布装置と、を備えることを特徴とする画像形成装置。
【発明の詳細な説明】
【技術分野】
【０００１】
本発明は、像担持体に滑剤を塗布する滑剤塗布装置及びこれを備えた画像形成装置に関する。
【背景技術】
【０００２】
一般に、電子写真プロセス技術を利用した画像形成装置（プリンター、複写機、ファクシミリ等）においては、画像データに基づくレーザー光が、一様に帯電した感光体（例えば用紙）に対して照射（露光）されることにより、感光体表面に静電潜像が形成される。そして、静電潜像が形成された用紙にトナーが供給されることにより、静電潜像が可視化されてトナー像が形成される。このトナー像が、直接又は中間転写体を介して間接的に用紙に転写された後、定着装置で加熱、加圧されることにより、用紙に画像が形成される。
【０００３】
また、感光体の表面に転写後に残存するトナー（転写残トナー）は、クリーニング装置により回収される。クリーニング装置は、感光体の表面に摺接させた状態で配置される、弾性体からなるクリーニングブレードを有する。クリーニングブレードによって転写残トナーが掻き取られることにより、感光体の表面が清掃される。
【０００４】
このとき、クリーニングブレードを摺接させた状態で感光体を走行（用紙の場合は回転）させるため、感光体とクリーニングブレードとの摺接部位に摩擦力が発生し、感光体とクリーニングブレードが摩耗して劣化するという問題がある。そして、転写残トナーの除去効率が低下すると、画像むらが生じる等、画質が低下する虞がある。そこで、従来の画像形成装置は、摺接部位における摩擦力を低減するために、感光体の表面に滑剤を塗布する滑剤塗布部を備えている。
【０００５】
感光体に滑剤を塗布する場合、一般に、滑剤塗布ブラシが感光体に摺接する状態で固定され、この滑剤塗布ブラシに対して固形滑剤が押圧された状態で配置される。そして、滑剤塗布ブラシが回転することによって固形滑剤が掻き取られ、掻き取られた滑剤が感光体に塗布される。塗布された滑剤は、滑剤塗布ブラシよりも感光体の走行方向下流側に配置された均し部材（例えば均しブレード）によって感光体上に押し広げられる。
【０００６】
滑剤塗布部に関する先行技術文献としては、例えば特許文献１〜３がある。特許文献１には、固形滑剤の温度を制御することが開示されている。特許文献２には、滑剤塗布ブラシの温度を変化させて滑剤の掻き取り量を制御することが開示されている。これらの技術によれば、感光体に滑剤を安定して供給することができる。
また、特許文献３には、回転ローラーで構成された均し部材の温度を制御することが開示されている。この技術によれば、感光体に供給された滑剤を均一に塗布することができる。
【先行技術文献】
【特許文献】
【０００７】
【特許文献１】特開平７−３３４０５５号公報
【特許文献２】特開２０１０−２３０９０３号公報
【特許文献３】特開２０１２−２３４００４号公報
【発明の概要】
【発明が解決しようとする課題】
【０００８】
しかしながら、特許文献３に記載の技術では、均し部材として回転ローラーを適用しているため、回転ローラーを駆動するための駆動モーター等が必要となる。したがって、均し部材として均しブレードを適用する場合に比較して、構成が複雑となり、小型化を図ることが困難となる。
【０００９】
本発明の目的は、簡易な構成で、感光体表面に滑剤を均一に塗布でき、感光体又はクリーニングブレードの劣化による画質の低下を防止できる滑剤塗布装置及び画像形成装置を提供することである。
【課題を解決するための手段】
【００１０】
本発明に係る滑剤塗布装置は、回転駆動される像担持体の表面に滑剤を供給する滑剤供給部と、
前記像担持体の回転方向に関して前記滑剤供給部の下流側に配置されて前記像担持体の表面に摺接し、前記像担持体の滑剤塗布面を加熱しながら前記像担持体に供給された滑剤を均す均しブレードと、を備えることを特徴とする。
【００１１】
本発明に係る画像形成装置は、前記像担持体にトナー像を形成する画像形成部と、
前記トナー像の転写後に前記像担持体上に残留するトナーをクリーニングブレードにより除去するクリーニング部と、
上記の滑剤塗布装置と、を備えることを特徴とする。
【発明の効果】
【００１２】
本発明に係る滑剤塗布装置によれば、像担持体の滑剤塗布面が所定の温度で均一に加熱されるので、像担持体の表面に滑剤を均一に塗布することができる。また、滑剤塗布装置は、特許文献３に記載の滑剤塗布装置のように、均し部材としての回転ローラーを駆動する駆動モーター等を設ける必要がないため、極めて簡易な構成で実現される。
また、本発明に係る画像形成装置によれば、像担持体又はクリーニングブレードの劣化による画質の低下を効果的に防止することができる。
【図面の簡単な説明】
【００１３】
【図１】本発明の実施の形態に係る画像形成装置の全体構成を示す図である。
【図２】実施の形態に係るドラムクリーニング装置の要部構成を示す図である。
【図３】実施の形態に係る均しブレードの一例を示す図である。
【図４】実施の形態に係る均しブレードの他の一例を示す図である。
【図５】実施の形態に係る均しブレードの他の一例を示す図である。
【発明を実施するための形態】
【００１４】
以下、本発明の実施の形態を図面に基づいて詳細に説明する。
図１は、本発明の実施の形態に係る画像形成装置１の全体構成を示す図である。
図１に示す画像形成装置１は、電子写真プロセス技術を利用した中間転写方式のカラー画像形成装置である。画像形成装置１には、ＣＭＹＫの４色に対応する感光ドラム４１３を中間転写ベルト４２１の走行方向（鉛直方向）に直列配置し、中間転写ベルト４２１に一回の手順で各色トナー像を順次転写させる縦型タンデム方式が採用されている。
すなわち、画像形成装置１は、感光ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、用紙Ｓに転写（二次転写）することにより、画像を形成する。
【００１５】
図１に示すように、画像形成装置１は、画像読取部１０、操作表示部２０、画像処理部３０、画像形成部４０、用紙搬送部５０、定着部６０、及び制御部１００を備える。
【００１６】
制御部１００は、ＣＰＵ（Central Processing Unit）、ＲＯＭ（Read Only Memory）、ＲＡＭ（Random Access Memory）等を備える。ＣＰＵは、ＲＯＭから処理内容に応じたプログラムを読み出してＲＡＭに展開し、展開したプログラムと協働して画像形成装置１の各ブロックの動作を集中制御する。このとき、記憶部（図示略）に格納されている各種データが参照される。記憶部（図示略）は、例えば不揮発性の半導体メモリ（いわゆるフラッシュメモリ）やハードディスクドライブで構成される。
【００１７】
また、制御部１００は、通信部（図示略）を介して、ＬＡＮ（Local Area Network）、ＷＡＮ（Wide Area Network）等の通信ネットワークに接続された外部の装置（例えばパーソナルコンピュータ）との間で各種データの送受信を行う。制御部１００は、例えば、外部の装置から送信された画像データを受信し、この画像データ（入力画像データ）に基づいて用紙に画像を形成させる。通信部（図示略）は、例えばＬＡＮカード等の通信制御カードで構成される。
【００１８】
画像読取部１０は、ＡＤＦ（Auto Document Feeder）と称される自動原稿給紙装置１１及び原稿画像走査装置１２（スキャナー）等を備える。
自動原稿給紙装置１１は、原稿トレイに載置された原稿を搬送機構により搬送して原稿画像走査装置１２へ送り出す。自動原稿給紙装置１１は、原稿トレイに載置された多数枚の原稿の画像（両面を含む）を連続して読み取ることができる。
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００１９】
操作表示部２０は、例えばタッチパネル付の液晶ディスプレイ（ＬＣＤ：Liquid Crystal Display）で構成され、表示部２１及び操作部２２として機能する。表示部２１は、制御部１００から入力される表示制御信号に従って、各種操作画面、画像の状態表示、各機能の動作状況等の表示を行う。操作部２２は、テンキー、スタートキー等の各種操作キーを備え、ユーザーによる各種入力操作を受け付けて、操作信号を制御部１００に出力する。
【００２０】
画像処理部３０は、入力画像データに対して、初期設定又はユーザー設定に応じたデジタル画像処理を行う回路等を備える。例えば、画像処理部３０は、制御部１００の制御下で、階調補正データ（階調補正テーブル）に基づいて階調補正を行う（画像濃度制御）。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２１】
画像形成部４０は、入力画像データに基づいて、Ｙ成分、Ｍ成分、Ｃ成分、Ｋ成分の各有色トナーによる画像を形成するための画像形成ユニット４１及び中間転写ユニット４２等を備える。画像形成部４０によって形成される画像の書込範囲は予め設定される。
【００２２】
画像形成ユニット４１は、Ｙ成分用、Ｍ成分用、Ｃ成分用、Ｋ成分用の４つの画像形成ユニット４１Ｙ、４１Ｍ、４１Ｃ、４１Ｋで構成される。画像形成ユニット４１Ｙ、４１Ｍ、４１Ｃ、４１Ｋは、同様の構成を有するので、図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素についての符号は省略されている。
【００２３】
画像形成ユニット４１は、露光装置４１１、現像装置４１２、感光ドラム４１３、帯電装置４１４、及びドラムクリーニング装置４１５等を備える。
【００２４】
感光ドラム４１３は、例えばアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。
電荷発生層は、電荷発生材料（例えばフタロシアニン顔料）を樹脂バインダー（例えばポリカーボネイト）に分散させた有機半導体からなり、露光装置４１１による露光を受けて一対の正電荷と負電荷を発生する。電荷輸送層は、正孔輸送性材料（電子供与性含窒素化合物）を樹脂バインダー（例えばポリカーボネート樹脂）に分散させたものからなり、電荷発生層で発生した正電荷を電荷輸送層の表面まで輸送する。
【００２５】
帯電装置４１４は、例えばスコロトロン帯電装置やコロトロン帯電装置等のコロナ放電発生器で構成される。帯電装置４１４は、コロナ放電によって感光ドラム４１３の表面を一様に負極性に帯電させる。
【００２６】
露光装置４１１は、例えば半導体レーザーで構成される。露光装置４１１は、感光ドラム４１３に対して各色成分の画像に対応するレーザー光を照射する。感光ドラム４１３の電荷発生層で発生した正電荷が電荷輸送層の表面まで輸送されることにより、感光ドラム４１３の表面電荷（負電荷）が中和される。これにより、感光ドラム４１３の表面には、周囲との電位差により各色成分の静電潜像が形成される。
【００２７】
現像装置４１２は、各色成分の現像剤（例えば、小粒径のトナーと磁性体とからなる二成分現像剤）を収容しており、感光ドラム４１３の表面に各色成分のトナーを付着させることにより静電潜像を可視化してトナー像を形成する。具体的には、現像剤担持体に現像バイアス電圧が印加され、感光ドラム４１３の表面と現像剤担持体との電位差によって現像剤担持体上の帯電トナーが感光ドラム４１３の表面の露光された部分に移動し、付着する。
【００２８】
ドラムクリーニング装置４１５は、クリーニング部９０と、滑剤塗布部８０を備える（図２参照）。クリーニング部９０は、感光ドラム４１３の表面に摺接されるドラムクリーニングブレード９１等を有し、一次転写後に感光ドラム４１３の表面に残存する転写残トナーを除去する。滑剤塗布部８０は、感光ドラム４１３の表面に摺接される滑剤塗布ブラシ８１、均しブレード８４等を有し、感光ドラム４１３の表面に滑剤を塗布する。ドラムクリーニング装置４１５の詳細については後述する。
【００２９】
中間転写ユニット４２は、中間転写ベルト４２１、一次転写ローラー４２２、複数の支持ローラー４２３、二次転写ローラー４２４、及びベルトクリーニング装置４２６等を備える。
【００３０】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３１】
一次転写ローラー４２２は、各色成分の感光ドラム４１３に対向して、中間転写ベルト４２１の内周面側に配置される。中間転写ベルト４２１を挟んで、一次転写ローラー４２２が感光ドラム４１３に圧接されることにより、感光ドラム４１３から中間転写ベルト４２１へトナー像を転写するための一次転写ニップが形成される。
【００３２】
二次転写ローラー４２４は、駆動ローラー４２３Ａのベルト走行方向下流側に配置されるローラー４２３Ｂ（以下「バックアップローラー４２３Ｂ」と称する）に対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙へトナー像を転写するための二次転写ニップが形成される。
【００３３】
一次転写ニップを中間転写ベルト４２１が通過する際、感光ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
その後、用紙が二次転写ニップを通過する際、中間転写ベルト４２１上のトナー像が用紙に二次転写される。具体的には、二次転写ローラー４２４に二次転写バイアスを印加し、記録用紙の裏面側（二次転写ローラー４２４と当接する側）にトナーと逆極性の電荷を付与することにより、トナー像は記録用紙に静電的に転写される。トナー像が転写された用紙は定着部６０に向けて搬送される。
【００３４】
ベルトクリーニング部４２６は、中間転写ベルト４２１の表面に摺接するベルトクリーニングブレード等を有し、二次転写後に中間転写ベルト４２１の表面に残留する転写残トナーを除去する。
なお、二次転写ローラー４２４に代えて、二次転写ローラーを含む複数の支持ローラーに、二次転写ベルトがループ状に張架された構成（いわゆるベルト式の二次転写ユニット）を採用してもよい。
【００３５】
定着部６０は、用紙の定着面（トナー像が形成されている面）側に配置される定着面側部材を有する上側定着部６０Ａ、用紙の裏面（定着面の反対の面）側に配置される裏面側支持部材を有する下側定着部６０Ｂ、及び加熱源６０Ｃ等を備える。定着面側部材に裏面側支持部材が圧接されることにより、用紙を狭持して搬送する定着ニップが形成される。
上側定着部６０Ａがベルト加熱方式である場合（図１参照）は定着ベルトが定着面側部材であり、ローラー加熱方式である場合は定着ローラーが定着面側部材である。また、下側定着部６０Ｂがローラー加圧方式である場合（図１参照）は加圧ローラーが裏面側支持部材であり、ベルト加圧方式である場合は加圧ベルトが裏面側支持部材である。
【００３６】
定着部６０は、トナー像が二次転写され、搬送されてきた用紙を定着ニップで加熱、加圧することにより、用紙にトナー像を定着させる。定着部６０は、定着器Ｆ内にユニットとして配置される。また、定着器Ｆには、エアを吹き付けることにより、定着面側部材又は裏面側支持部材から用紙を分離させるエア分離ユニットが配置されていてもよい。
【００３７】
用紙搬送部５０は、給紙部５１、排紙部５２、第１の搬送部５３、及び第２の搬送部５４等を備える。
給紙部５１を構成する３つの給紙トレイユニット５１１〜５１３には、坪量やサイズ等に基づいて識別された用紙（規格用紙、特殊用紙）が予め設定された種類ごとに収容される。
【００３８】
第１の搬送部５３は、中間搬送ローラー部５３１、ループローラー部５３２、及びレジストローラー部５３３を含む複数の搬送ローラー部を備える。第１の搬送部５３は、給紙部５１、又は外部給紙装置（図示略）から給紙された用紙を画像形成部４０（二次転写部）に搬送する。
【００３９】
第２の搬送部５４は、複数の搬送ローラー部が配置されたスイッチバック経路５４１及び裏面用搬送路５４２を備える。第２の搬送部５４は、用紙をスイッチバック経路５４１に一旦搬送した後、スイッチバックさせて裏面用搬送路５４２に搬送することにより用紙を反転させ、第１の搬送部５３（ループローラー部５３２の上流）に供給する。
【００４０】
給紙部５１、又は外部給紙装置（図示略）から給紙された用紙は、第１の搬送部５３によって画像形成部４０に搬送される。そして、用紙が二次転写ニップを通過する際、中間転写ベルト４２１上のトナー像が用紙の一方の面（表面）に一括して二次転写され、定着部６０において定着処理が施される。画像が形成された用紙は、排紙ローラー５２ａを備えた排紙部５２により機外に排紙される。
【００４１】
図２は、実施の形態に係るドラムクリーニング装置４１５の要部構成を示す図である。
図２に示すように、ドラムクリーニング装置４１５は、クリーニング部９０と、滑剤塗布部８０を備える。クリーニング部９０及び滑剤塗布部８０の各構成部材は、ドラムクリーニング装置４１５の枠体となる収容ケースＣに適当な方法により取り付けられる。
【００４２】
クリーニング部９０は、ドラムクリーニングブレード９１、トナー回収スクリュー９２等を備える。
ドラムクリーニングブレード９１は、ウレタンゴム等を平板状に成形した弾性部材であり、感光ドラム４１３の軸方向（主走査方向）の幅とほぼ同等の幅を有する。ドラムクリーニングブレード９１は、所定の自由長（例えば９ｍｍ）を有し、感光ドラム４１３に対してカウンター方向（感光ドラム４１３が回転するときエッジ部分が突っ張ることとなる方向）から所定の当接角（例えば１５°）、法線加荷重（例えば２０Ｎ）で摺接するように配置される。
【００４３】
画像形成時には、感光ドラム４１３が回転することに伴い、ドラムクリーニングブレード９１によって感光ドラム４１３の表面に残存する転写残トナーが掻き取られる。掻き取られた転写残トナーは、トナー回収スクリュー９２によって、廃トナー回収容器（図示略）に送出される。
【００４４】
滑剤塗布部８０は、滑剤塗布ブラシ８１、固形滑剤８２、滑剤押圧部８３、及び均しブレード８４等を備える。
【００４５】
滑剤塗布ブラシ８１は、例えばポリエステル等の繊維が植設された基布を芯金に巻き付けたローラー状のブラシであり、感光ドラム４１３の軸方向の幅とほぼ同等の幅を有する。滑剤塗布ブラシ８１は、感光ドラム４１３の表面がブラシ先端に所定量だけ食い込んだ状態（例えば食い込み量：０．５〜１．５ｍｍ）となるように固定され、感光ドラム４１３の回転とは反対向き（カウンター方向）に回転する。
【００４６】
固形滑剤８２は、滑剤を固形化したもの（例えば鉛筆硬度：Ｆ〜ＨＢ相当）で、滑剤押圧部８３のホルダー（図示略）に固定される。滑剤としては、例えばステアリン酸亜鉛（ＺｎＳｔ）が適用される。
滑剤押圧部８３は、例えば圧縮スプリング等の付勢部材を有し、付勢部材の一端側に固定された固形滑剤８２を滑剤塗布ブラシ８１に向けて所定の押圧力で押圧する。
【００４７】
均しブレード８４は、感光ドラム４１３の軸方向の幅とほぼ同等の幅を有する平板状の部材である。均しブレード８４の感光ドラム４１３と摺接する側は、弾性層８４１（図３参照）で構成される。均しブレード８４は、支持部材８５に固着され、感光ドラム４１３の回転方向に関して滑剤塗布ブラシ８１の下流側に配置される。均しブレード８４は、感光ドラム４１３に対してトレーリング方向（感光ドラム４１３が回転するときにエッジ部分が引きずられることとなる方向）から所定の当接角（例えば５０°）及び侵入量で摺接する。
【００４８】
画像形成時には、滑剤塗布ブラシ８１が回転することにより固形滑剤８２の表面から滑剤が掻き取られ、この掻き取られた滑剤が感光ドラム４１３との接触部位において感光ドラム４１３の表面に塗布される。そして、塗布された滑剤は、均しブレード８４により均一な厚さとなるように均される。
【００４９】
さらに、本実施の形態では、均しブレード８４が、感光ドラム４１３を所定の温度で加熱する機能を有する。具体的には、図３に示すように、均しブレード８４は、弾性層８４１、伝熱層８４２、及び発熱層８４３からなる積層構造を有する。積層構造の均しブレード８４は、例えばシート成形や金型成形により作製することができる。
【００５０】
弾性層８４１は、感光ドラム４１３よりも硬度の低い材質で構成され、感光ドラム４１３の表面に摺接する。弾性層８４１には、例えばウレタンゴム、フッ素ゴム等の樹脂材料を適用することができる。
【００５１】
伝熱層８４２は、弾性層８４１を介して感光ドラム４１３を加熱する。伝熱層８４２は、例えば断熱層８４２ａと蓄熱層８４２ｂとの二層で構成される。
【００５２】
断熱層８４２ａは、伝熱層８４２の弾性層８４１側に配置される。断熱層８４２ａは、弾性層８４１よりも小さい熱伝導率を有する。断熱層８４２ａには、例えば発泡ウレタン、断熱テープ、発泡セラミック等を適用することができる。
ここで、断熱層８４２ａの熱伝導率は、０．０２〜５０Ｗ／ｍ・ｋであることが好ましい。断熱層８４２ａの熱伝導率が０．０２未満である場合には、感光ドラム４１３の加熱効率が低下し、断熱層８４２ａの熱伝導率が５０Ｗ／ｍ・ｋよりも大きい場合には、熱を均一に伝達するのが困難となるためである。すなわち、断熱層８４２ａの熱伝導率を０．０２〜５０Ｗ／ｍ・ｋとすることにより、感光ドラム４１３に対して均一に安定して熱を伝達することができる。
【００５３】
また、断熱層８４２ａを発泡ウレタン又は発泡セラミックで構成する場合、発泡率を３０％以上とするのが好ましく、より好ましくは４０％以上とする。これにより、断熱層８４２ａを発泡ウレタンで構成した場合に、断熱層８４２ａの熱伝導率が０．０２〜５０Ｗ／ｍ・ｋとなるので、感光ドラム４１３に対して熱を均一に伝達することができる。発泡率を上げると、熱伝導率が低下し、断熱効果が高まる。
表１に示すように、断熱層８４２ａの発泡率が３０％未満の場合、時間に対する温度リップル（目標温度からのずれ）が大きくなるため、感光ドラム４１３に対して熱を均一に伝達できなくなる虞がある。
【００５４】
【表１】
2014238448.tif 000003
【００５５】
なお、断熱層８４２ａを発泡セラミック等の硬質の材料で構成する場合、断熱層８４２ａを延在させて、支持部材８５として機能させることもできる（図４参照）。
【００５６】
蓄熱層８４２ｂは、伝熱層８４２の発熱層８４３側に配置される。蓄熱層８４２ｂは、弾性層８４１よりも大きい熱容量を有する。蓄熱層８４２ｂには、例えばゴム等の樹脂材料に金属を分散させた金属分散樹脂、ステンレス等を適用できる。分散させる金属の種類、分散量、又は分散方法等により、蓄熱層８４２ｂの熱容量を調整することができる。
ここで、蓄熱層８４２ｂの熱容量は、同質量のウレタン樹脂の熱容量を１００％としたとき、１００％より大きくするのが好ましく、より好ましくは１５０％とする。これにより、感光ドラム４１３を効率よく加熱することができる。
表２に示すように、熱容量が１００％未満の場合、均しブレード８４の長さ方向の温度リップルが大きく、感光ドラム４１３を均一に効率よく加熱できなくなる虞がある。
【００５７】
【表２】
2014238448.tif 000004
【００５８】
なお、蓄熱層８４２ｂをステンレス等の硬質の材料で構成する場合、蓄熱層８４２ｂを延在させて、支持部材８５として機能させることもできる（図５参照）。
【００５９】
発熱層８４３は、伝熱層８４２の弾性層８４１の積層面とは反対の面に積層され、伝熱層８４２を加熱する加熱源である。これにより、外部加熱装置が不要となるので、極めて簡易な構成で、感光ドラム４１３を効率よく加熱することができる。
【００６０】
発熱層８４３は、例えば通電により発熱する抵抗発熱体で構成される。ブレード温度（弾性層８４１の表面温度）が例えば４０℃〜トナー耐熱温度となるように、発熱層８４３の通電制御が行われる。なお、ブレード温度は、サーモスタットや接触式の温度センサーにより検出される。
【００６１】
抵抗発熱体としては、耐熱性樹脂に、導電フィラー及び高イオン導電体粉末を分散させた抵抗発熱樹脂が好適である。耐熱性樹脂には、ポリイミド、ポリフェニレンサルファイド、ポリエーテルエーテルケトン等を適用することができ、特に耐熱性に優れる点からポリイミドが好適である。また、導電性フィラーには、金属材料の粉末（例えばＡｇ、Ｃｕ、Ａｌ、Ｍｇ、Ｎｉの微粒子）や炭素化合物粉末（例えばグラファイト、カーボンブラック、カーボンなのファイバー、カーボンナノチューブ）を適用することができる。高イオン導電体粉末には、ＡｇＩやＣｕＩなどの無機化合物中の高イオン導電体粉末を適用することができる。
【００６２】
このように、滑剤塗布装置としての滑剤塗布部８０は、回転駆動される像担持体（感光ドラム４１３）の表面に滑剤を供給する滑剤供給部（滑剤塗布ブラシ８１）と、像担持体（４１３）の回転方向に関して滑剤供給部（８１）の下流側に配置されて像担持体（４１３）の表面に摺接し、像担持体（４１３）の滑剤塗布面を加熱しながら像担持体（４１３）に供給された滑剤を均す均しブレード（８４）と、を備える。
【００６３】
滑剤塗布部８０によれば、感光ドラム４１３の滑剤塗布面が所定の温度で均一に加熱されるので、感光体ドラム４１３の表面に滑剤を均一に塗布することができる。また、滑剤塗布部８０は、特許文献３に記載の滑剤塗布装置のように、均し部材としての回転ローラーを駆動する駆動モーター等を設ける必要がないため、極めて簡易な構成で実現される。
また、滑剤塗布部８０を備える画像形成装置１によれば、感光ドラム４１３又はクリーニングブレード９１の劣化による画質の低下を効果的に防止することができる。
【００６４】
［実施例］
実施例では、弾性層８４１、断熱層８４２ａ、蓄熱層８４３ｂ、及び発熱層８４３からなる積層構造を有する均しブレード８４において、各層を表３に示す材質で構成した。そして、カバレッジ５０％の標準画像を連続して５０００枚画像形成した後の画質（画像むらの有無）を評価した。このとき、均しブレード８４の温度が４０℃〜トナー耐熱温度になるように、発熱層８４３への通電制御を行った。
また、比較例として、弾性層のみからなる均しブレードを用いた場合、すなわち感光ドラム４１３の表面を加熱しない場合について、実施例と同様にして評価した。
【００６５】
その結果、実施例１〜５では画像むらが全く観察されなかったのに対して、比較例では許容レベルではあるが若干の画像むらが観察された。
【００６６】
【表３】
2014238448.tif 000005
【００６７】
以上、本発明者によってなされた発明を実施の形態に基づいて具体的に説明したが、本発明は上記実施の形態に限定されるものではなく、その要旨を逸脱しない範囲で変更可能である。
例えば、実施の形態に係る均しブレード８４の伝熱層８４２は、断熱層８４２ａと蓄熱層８４２ｂの何れか一方のみで構成してもよい。また、発熱層８４３を省略し、弾性層８４１と伝熱層８４２で均しブレード８４を構成してもよい。この場合は、均しブレード８４の近傍に伝熱層８４２を加熱する加熱源（例えば加熱ヒーター、熱風発生機）が設けられる。さらには、伝熱層８４２を省略し、弾性層８４１と発熱層８４３で均しブレード８４を構成してもよい。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１  画像形成装置
１０  画像読取部
２０  操作表示部
３０  画像処理部
４０  画像形成部
５０  用紙搬送部
６０  定着部
８０  滑剤塗布部
８１  滑剤塗布ブラシ
８２  固形滑剤
８３  滑剤押圧部
８４  均しブレード
８５  支持部材
９０  クリーニング部
１００  制御部
８４１  弾性層
８４２  伝熱層
８４２ａ  断熱層
８４２ｂ  蓄熱層
８４３  発熱層
【図１】
2014238448.tif 000006
【図２】
2014238448.tif 000007
【図３】
2014238448.tif 000008
【図４】
2014238448.tif 000009
【図５】
2014238448.tif 000010